【手続補正書】
【提出日】平成23年12月13日(2011.12.13)
【手続補正１】
【補正対象書類名】特許請求の範囲
【補正対象項目名】全文
【補正方法】変更
【補正の内容】
【特許請求の範囲】
【請求項１】
広域に渡って多数の様々な場所に存在し且つ移動する各移動体がそれぞれ保有する又は備える各映像取得手段により取得された各映像と前記各移動体の前記各映像取得時における位置座標データとに基づいて、「人やペットなどの動物、又は盗難車などの有体物」を捜索する捜索システムであって、
ネットワークに接続されており、広域に渡って多数の様々な場所に存在し且つ移動する各移動体が保有する又は備える各映像取得手段と、
前記各映像取得手段により取得された各映像を、前記各移動体の前記各映像取得時における位置座標データと関連付けて、出力、送信又は記録する映像位置出力等手段と、
捜索対象を示す捜索対象情報を、入力、受信又は取得する捜索対象情報入力等手段と、
前記入力等された捜索対象情報と「前記取得された各映像、又は前記各映像から導き出される情報」とに基づいて、前記取得された各映像の中から、「前記捜索対象と関連する１つ若しくは複数の映像、又はこの１つ若しくは複数の映像から導き出される情報」を、抽出又は検索する映像抽出等手段と、
「前記抽出等された１つ若しくは複数の映像、又はこの１つ若しくは複数の映像から導き出される情報」に基づいて、「前記捜索対象に関する情報であって、『前記抽出等された映像と関連付けられた位置座標データ又はこの位置座標データに基づいて得られる位置情報』を含む情報」を、出力又は送信する位置出力等手段と、
を備えたことを特徴とする捜索システム。
【請求項２】
人やペットなどの動物又は盗難車などの有体物を捜索するためのシステムであって、
ネットワークに接続され、複数の場所に存在する又は配置された各映像取得手段と、
前記各映像取得手段により取得された各映像を、前記各映像取得手段の場所又はそれが取得する各映像の場所を特定するための位置特定情報と対応付けて、出力、送信又は記録する映像位置出力等手段と、
捜索対象を示す「画像情報及び文字情報（文字情報は数字情報を含む。以下同じ）」又は文字情報を、入力又は送信する捜索対象情報入力手段と、
「前記各映像取得手段により取得された各映像、又は前記各映像から得られる文字もしくは数字情報」と「前記捜索対象を示す、映像情報及び文字情報、又は文字情報」とに基づいて、前記各映像取得手段により取得された各映像の中から、前記捜索対象に関連する映像又はこの映像から得られる文字情報を、抽出又は検索する抽出等手段と、
前記抽出等された映像又はこの映像から得られる文字情報に基づいて、前記捜索対象に関する情報（前記捜索対象に関連する映像が取得されたときの位置情報を含む）を、出力又は送信する位置出力等手段と、
を備えたことを特徴とする捜索システム。
【請求項３】
広域に渡る多数の様々な場所にそれぞれ配置され又は存在する各映像取得手段によりそれぞれ取得された各映像及び「前記各映像の位置、又は前記各映像が取得されたときの前記各映像取得手段の位置」に基づいて「人、又はペットなどの動物」を捜索する捜索システムであって、
ネットワークに接続されており、広域に渡る多数の様々な場所にそれぞれ配置され又は存在する各映像取得手段と、
前記各映像取得手段により取得された各映像を、「前記各映像の位置、又は前記各映像が取得されたときの前記各映像取得手段の位置」を特定するための位置特定情報（この「位置特定情報」は、例えば、前記位置の座標データ、前記位置の住所、又は前記位置を含む施設の名称などでもよい。）と対応付けて、出力、送信又は記録する映像位置出力等手段と、
捜索対象を示す捜索対象情報を、入力、受信又は取得する捜索対象情報入力等手段と、
前記捜索対象情報と「前記取得された各映像、又は前記各映像から導き出される情報（この『導き出される情報』は、例えば、文字情報や数字情報などでもよい。）」とに基づいて、前記取得された各映像の中から、「前記捜索対象と関連する１つ又は複数の映像、又はこの映像から導き出された情報」を、抽出又は検索する映像抽出等手段と、
前記抽出等された映像又は情報に基づいて、前記捜索対象に関する情報を、送信又は出力する位置等出力等手段と、
を備えたことを特徴とする捜索システム。
【請求項４】
広域に渡って多数の様々な場所に存在し且つ移動する各移動体がそれぞれ保有する又は備える各映像取得手段により取得された各映像と前記各移動体の前記各映像取得時における位置座標データとに基づいて、「人やペットなどの動物、又は盗難車などの有体物」を捜索する捜索システムであって、
ネットワークに接続されており、広域に渡って多数の様々な場所に存在し且つ移動する各移動体が保有する又は備える各映像取得手段と、
前記各映像取得手段により取得された各映像を、前記各移動体の前記各映像取得時における位置座標データと関連付けて、出力、送信又は記録する映像位置出力等手段と、
捜索対象を示す捜索対象情報を、入力、受信又は取得する捜索対象情報入力等手段と、
前記入力等された捜索対象情報と「前記取得された各映像、又は前記各映像から導き出される情報」とに基づいて、前記取得された各映像の中から、「前記捜索対象と関連する１つ若しくは複数の映像、又はこの１つ若しくは複数の映像から導き出される情報」を、抽出又は検索する映像抽出等手段と、
「前記抽出等された１つ若しくは複数の映像、又はこの１つ若しくは複数の映像から導き出される情報」に基づいて、「前記捜索対象に関する情報であって、『前記抽出等された映像と関連付けられた位置座標データ又はこの位置座標データに基づいて得られる位置情報』を含む情報」を、出力又は送信する位置出力等手段と、
を備えたことを特徴とする捜索システム。
【請求項５】
人やペットなどの動物又は盗難車などの有体物を捜索するためのシステムであって、
ネットワークに接続され、複数の場所に存在する又は配置された各映像取得手段と、
前記各映像取得手段により取得された各映像を、前記各映像取得手段の場所又はそれが取得する各映像の場所を特定するための位置特定情報と対応付けて、出力、送信又は記録する映像位置出力等手段と、
捜索対象を示す「画像情報及び文字情報（文字情報は数字情報を含む。以下同じ）」又は文字情報を、入力又は送信する捜索対象情報入力手段と、
「前記各映像取得手段により取得された各映像、又は前記各映像から得られる文字もしくは数字情報」と「前記捜索対象を示す、映像情報及び文字情報、又は文字情報」とに基づいて、前記各映像取得手段により取得された各映像の中から、前記捜索対象に関連する映像又はこの映像から得られる文字情報を、抽出又は検索する抽出等手段と、
前記抽出等された映像又はこの映像から得られる文字情報に基づいて、前記捜索対象に関する情報（前記捜索対象に関連する映像が取得されたときの位置情報を含む）を、出力又は送信する位置出力等手段と、
を備えたことを特徴とする捜索システム。
【請求項６】
広域に渡る多数の様々な場所にそれぞれ配置され又は存在する各映像取得手段によりそれぞれ取得された各映像及び「前記各映像の位置、又は前記各映像が取得されたときの前記各映像取得手段の位置」に基づいて「人、又はペットなどの動物」を捜索する捜索システムであって、
ネットワークに接続されており、広域に渡る多数の様々な場所にそれぞれ配置され又は存在する各映像取得手段と、
前記各映像取得手段により取得された各映像を、「前記各映像の位置、又は前記各映像が取得されたときの前記各映像取得手段の位置」を特定するための位置特定情報（この「位置特定情報」は、例えば、前記位置の座標データ、前記位置の住所、又は前記位置を含む施設の名称などでもよい。）と対応付けて、出力、送信又は記録する映像位置出力等手段と、
捜索対象を示す捜索対象情報を、入力、受信又は取得する捜索対象情報入力等手段と、
前記捜索対象情報と「前記取得された各映像、又は前記各映像から導き出される情報（この『導き出される情報』は、例えば、文字情報や数字情報などでもよい。）」とに基づいて、前記取得された各映像の中から、「前記捜索対象と関連する１つ又は複数の映像、又はこの映像から導き出された情報」を、抽出又は検索する映像抽出等手段と、
前記抽出等された映像又は情報に基づいて、前記捜索対象に関する情報を、送信又は出力する位置等出力等手段と、
を備えたことを特徴とする捜索システム。
【請求項７】
広域に渡って多数の様々な場所に存在し且つ移動する各移動体がそれぞれ保有する又は備える各映像取得手段により取得された各映像と前記各移動体の前記各映像取得時における位置座標データとに基づいて、「人やペットなどの動物、又は盗難車などの有体物」を捜索する捜索システムであって、
ネットワークに接続されており、広域に渡って多数の様々な場所に存在し且つ移動する各移動体が保有する又は備える各映像取得手段と、
前記各映像取得手段により取得された各映像を、前記各移動体の前記各映像取得時における位置座標データと関連付けて、出力、送信又は記録する映像位置出力等手段と、
捜索対象を示す捜索対象情報を、入力、受信又は取得する捜索対象情報入力等手段と、
前記入力等された捜索対象情報と「前記取得された各映像、又は前記各映像から導き出される情報」とに基づいて、前記取得された各映像の中から、「前記捜索対象と関連する１つ若しくは複数の映像、又はこの１つ若しくは複数の映像から導き出される情報」を、抽出又は検索する映像抽出等手段と、
「前記抽出等された１つ若しくは複数の映像、又はこの１つ若しくは複数の映像から導き出される情報」に基づいて、「前記捜索対象に関する情報であって、『前記抽出等された映像と関連付けられた位置座標データ又はこの位置座標データに基づいて得られる位置情報』を含む情報」を、出力又は送信する位置出力等手段と、
を備えたことを特徴とする捜索システム。
【請求項８】
人やペットなどの動物又は盗難車などの有体物を捜索するためのシステムであって、
ネットワークに接続され、複数の場所に存在する又は配置された各映像取得手段と、
前記各映像取得手段により取得された各映像を、前記各映像取得手段の場所又はそれが取得する各映像の場所を特定するための位置特定情報と対応付けて、出力、送信又は記録する映像位置出力等手段と、
捜索対象を示す「画像情報及び文字情報（文字情報は数字情報を含む。以下同じ）」又は文字情報を、入力又は送信する捜索対象情報入力手段と、
「前記各映像取得手段により取得された各映像、又は前記各映像から得られる文字もしくは数字情報」と「前記捜索対象を示す、映像情報及び文字情報、又は文字情報」とに基づいて、前記各映像取得手段により取得された各映像の中から、前記捜索対象に関連する映像又はこの映像から得られる文字情報を、抽出又は検索する抽出等手段と、
前記抽出等された映像又はこの映像から得られる文字情報に基づいて、前記捜索対象に関する情報（前記捜索対象に関連する映像が取得されたときの位置情報を含む）を、出力又は送信する位置出力等手段と、
を備えたことを特徴とする捜索システム。
【請求項９】
広域に渡る多数の様々な場所にそれぞれ配置され又は存在する各映像取得手段によりそれぞれ取得された各映像及び「前記各映像の位置、又は前記各映像が取得されたときの前記各映像取得手段の位置」に基づいて「人、又はペットなどの動物」を捜索する捜索システムであって、
ネットワークに接続されており、広域に渡る多数の様々な場所にそれぞれ配置され又は存在する各映像取得手段と、
前記各映像取得手段により取得された各映像を、「前記各映像の位置、又は前記各映像が取得されたときの前記各映像取得手段の位置」を特定するための位置特定情報（この「位置特定情報」は、例えば、前記位置の座標データ、前記位置の住所、又は前記位置を含む施設の名称などでもよい。）と対応付けて、出力、送信又は記録する映像位置出力等手段と、
捜索対象を示す捜索対象情報を、入力、受信又は取得する捜索対象情報入力等手段と、
前記捜索対象情報と「前記取得された各映像、又は前記各映像から導き出される情報（この『導き出される情報』は、例えば、文字情報や数字情報などでもよい。）」とに基づいて、前記取得された各映像の中から、「前記捜索対象と関連する１つ又は複数の映像、又はこの映像から導き出された情報」を、抽出又は検索する映像抽出等手段と、
前記抽出等された映像又は情報に基づいて、前記捜索対象に関する情報を、送信又は出力する位置等出力等手段と、
を備えたことを特徴とする捜索システム。
【請求項１０】
広域に渡って多数の様々な場所に存在し且つ移動する各移動体がそれぞれ保有する又は備える各映像取得手段により取得された各映像と前記各移動体の前記各映像取得時における位置座標データとに基づいて、「人やペットなどの動物、又は盗難車などの有体物」を捜索する捜索システムであって、
ネットワークに接続されており、広域に渡って多数の様々な場所に存在し且つ移動する各移動体が保有する又は備える各映像取得手段と、
前記各映像取得手段により取得された各映像を、前記各移動体の前記各映像取得時における位置座標データと関連付けて、出力、送信又は記録する映像位置出力等手段と、
捜索対象を示す捜索対象情報を、入力、受信又は取得する捜索対象情報入力等手段と、
前記入力等された捜索対象情報と「前記取得された各映像、又は前記各映像から導き出される情報」とに基づいて、前記取得された各映像の中から、「前記捜索対象と関連する１つ若しくは複数の映像、又はこの１つ若しくは複数の映像から導き出される情報」を、抽出又は検索する映像抽出等手段と、
「前記抽出等された１つ若しくは複数の映像、又はこの１つ若しくは複数の映像から導き出される情報」に基づいて、「前記捜索対象に関する情報であって、『前記抽出等された映像と関連付けられた位置座標データ又はこの位置座標データに基づいて得られる位置情報』を含む情報」を、出力又は送信する位置出力等手段と、
を備えたことを特徴とする捜索システム。
【請求項１１】
人やペットなどの動物又は盗難車などの有体物を捜索するためのシステムであって、
ネットワークに接続され、複数の場所に存在する又は配置された各映像取得手段と、
前記各映像取得手段により取得された各映像を、前記各映像取得手段の場所又はそれが取得する各映像の場所を特定するための位置特定情報と対応付けて、出力、送信又は記録する映像位置出力等手段と、
捜索対象を示す「画像情報及び文字情報（文字情報は数字情報を含む。以下同じ）」又は文字情報を、入力又は送信する捜索対象情報入力手段と、
「前記各映像取得手段により取得された各映像、又は前記各映像から得られる文字もしくは数字情報」と「前記捜索対象を示す、映像情報及び文字情報、又は文字情報」とに基づいて、前記各映像取得手段により取得された各映像の中から、前記捜索対象に関連する映像又はこの映像から得られる文字情報を、抽出又は検索する抽出等手段と、
前記抽出等された映像又はこの映像から得られる文字情報に基づいて、前記捜索対象に関する情報（前記捜索対象に関連する映像が取得されたときの位置情報を含む）を、出力又は送信する位置出力等手段と、
を備えたことを特徴とする捜索システム。
【請求項１２】
広域に渡る多数の様々な場所にそれぞれ配置され又は存在する各映像取得手段によりそれぞれ取得された各映像及び「前記各映像の位置、又は前記各映像が取得されたときの前記各映像取得手段の位置」に基づいて「人、又はペットなどの動物」を捜索する捜索システムであって、
ネットワークに接続されており、広域に渡る多数の様々な場所にそれぞれ配置され又は存在する各映像取得手段と、
前記各映像取得手段により取得された各映像を、「前記各映像の位置、又は前記各映像が取得されたときの前記各映像取得手段の位置」を特定するための位置特定情報（この「位置特定情報」は、例えば、前記位置の座標データ、前記位置の住所、又は前記位置を含む施設の名称などでもよい。）と対応付けて、出力、送信又は記録する映像位置出力等手段と、
捜索対象を示す捜索対象情報を、入力、受信又は取得する捜索対象情報入力等手段と、
前記捜索対象情報と「前記取得された各映像、又は前記各映像から導き出される情報（この『導き出される情報』は、例えば、文字情報や数字情報などでもよい。）」とに基づいて、前記取得された各映像の中から、「前記捜索対象と関連する１つ又は複数の映像、又はこの映像から導き出された情報」を、抽出又は検索する映像抽出等手段と、
前記抽出等された映像又は情報に基づいて、前記捜索対象に関する情報を、送信又は出力する位置等出力等手段と、
を備えたことを特徴とする捜索システム。
【請求項１３】
広域に渡って多数の様々な場所に存在し且つ移動する各移動体がそれぞれ保有する又は備える各映像取得手段により取得された各映像と前記各移動体の前記各映像取得時における位置座標データとに基づいて、「人やペットなどの動物、又は盗難車などの有体物」を捜索する捜索システムであって、
ネットワークに接続されており、広域に渡って多数の様々な場所に存在し且つ移動する各移動体が保有する又は備える各映像取得手段と、
前記各映像取得手段により取得された各映像を、前記各移動体の前記各映像取得時における位置座標データと関連付けて、出力、送信又は記録する映像位置出力等手段と、
捜索対象を示す捜索対象情報を、入力、受信又は取得する捜索対象情報入力等手段と、
前記入力等された捜索対象情報と「前記取得された各映像、又は前記各映像から導き出される情報」とに基づいて、前記取得された各映像の中から、「前記捜索対象と関連する１つ若しくは複数の映像、又はこの１つ若しくは複数の映像から導き出される情報」を、抽出又は検索する映像抽出等手段と、
「前記抽出等された１つ若しくは複数の映像、又はこの１つ若しくは複数の映像から導き出される情報」に基づいて、「前記捜索対象に関する情報であって、『前記抽出等された映像と関連付けられた位置座標データ又はこの位置座標データに基づいて得られる位置情報』を含む情報」を、出力又は送信する位置出力等手段と、
を備えたことを特徴とする捜索システム。
【請求項１４】
人やペットなどの動物又は盗難車などの有体物を捜索するためのシステムであって、
ネットワークに接続され、複数の場所に存在する又は配置された各映像取得手段と、
前記各映像取得手段により取得された各映像を、前記各映像取得手段の場所又はそれが取得する各映像の場所を特定するための位置特定情報と対応付けて、出力、送信又は記録する映像位置出力等手段と、
捜索対象を示す「画像情報及び文字情報（文字情報は数字情報を含む。以下同じ）」又は文字情報を、入力又は送信する捜索対象情報入力手段と、
「前記各映像取得手段により取得された各映像、又は前記各映像から得られる文字もしくは数字情報」と「前記捜索対象を示す、映像情報及び文字情報、又は文字情報」とに基づいて、前記各映像取得手段により取得された各映像の中から、前記捜索対象に関連する映像又はこの映像から得られる文字情報を、抽出又は検索する抽出等手段と、
前記抽出等された映像又はこの映像から得られる文字情報に基づいて、前記捜索対象に関する情報（前記捜索対象に関連する映像が取得されたときの位置情報を含む）を、出力又は送信する位置出力等手段と、
を備えたことを特徴とする捜索システム。
【請求項１５】
広域に渡る多数の様々な場所にそれぞれ配置され又は存在する各映像取得手段によりそれぞれ取得された各映像及び「前記各映像の位置、又は前記各映像が取得されたときの前記各映像取得手段の位置」に基づいて「人、又はペットなどの動物」を捜索する捜索システムであって、
ネットワークに接続されており、広域に渡る多数の様々な場所にそれぞれ配置され又は存在する各映像取得手段と、
前記各映像取得手段により取得された各映像を、「前記各映像の位置、又は前記各映像が取得されたときの前記各映像取得手段の位置」を特定するための位置特定情報（この「位置特定情報」は、例えば、前記位置の座標データ、前記位置の住所、又は前記位置を含む施設の名称などでもよい。）と対応付けて、出力、送信又は記録する映像位置出力等手段と、
捜索対象を示す捜索対象情報を、入力、受信又は取得する捜索対象情報入力等手段と、
前記捜索対象情報と「前記取得された各映像、又は前記各映像から導き出される情報（この『導き出される情報』は、例えば、文字情報や数字情報などでもよい。）」とに基づいて、前記取得された各映像の中から、「前記捜索対象と関連する１つ又は複数の映像、又はこの映像から導き出された情報」を、抽出又は検索する映像抽出等手段と、
前記抽出等された映像又は情報に基づいて、前記捜索対象に関する情報を、送信又は出力する位置等出力等手段と、
を備えたことを特徴とする捜索システム。
【請求項１６】
広域に渡って多数の様々な場所に存在し且つ移動する各移動体がそれぞれ保有する又は備える各映像取得手段により取得された各映像と前記各移動体の前記各映像取得時における位置座標データとに基づいて、「人やペットなどの動物、又は盗難車などの有体物」を捜索する捜索システムであって、
ネットワークに接続されており、広域に渡って多数の様々な場所に存在し且つ移動する各移動体が保有する又は備える各映像取得手段と、
前記各映像取得手段により取得された各映像を、前記各移動体の前記各映像取得時における位置座標データと関連付けて、出力、送信又は記録する映像位置出力等手段と、
捜索対象を示す捜索対象情報を、入力、受信又は取得する捜索対象情報入力等手段と、
前記入力等された捜索対象情報と「前記取得された各映像、又は前記各映像から導き出される情報」とに基づいて、前記取得された各映像の中から、「前記捜索対象と関連する１つ若しくは複数の映像、又はこの１つ若しくは複数の映像から導き出される情報」を、抽出又は検索する映像抽出等手段と、
「前記抽出等された１つ若しくは複数の映像、又はこの１つ若しくは複数の映像から導き出される情報」に基づいて、「前記捜索対象に関する情報であって、『前記抽出等された映像と関連付けられた位置座標データ又はこの位置座標データに基づいて得られる位置情報』を含む情報」を、出力又は送信する位置出力等手段と、
を備えたことを特徴とする捜索システム。
【請求項１７】
人やペットなどの動物又は盗難車などの有体物を捜索するためのシステムであって、
ネットワークに接続され、複数の場所に存在する又は配置された各映像取得手段と、
前記各映像取得手段により取得された各映像を、前記各映像取得手段の場所又はそれが取得する各映像の場所を特定するための位置特定情報と対応付けて、出力、送信又は記録する映像位置出力等手段と、
捜索対象を示す「画像情報及び文字情報（文字情報は数字情報を含む。以下同じ）」又は文字情報を、入力又は送信する捜索対象情報入力手段と、
「前記各映像取得手段により取得された各映像、又は前記各映像から得られる文字もしくは数字情報」と「前記捜索対象を示す、映像情報及び文字情報、又は文字情報」とに基づいて、前記各映像取得手段により取得された各映像の中から、前記捜索対象に関連する映像又はこの映像から得られる文字情報を、抽出又は検索する抽出等手段と、
前記抽出等された映像又はこの映像から得られる文字情報に基づいて、前記捜索対象に関する情報（前記捜索対象に関連する映像が取得されたときの位置情報を含む）を、出力又は送信する位置出力等手段と、
を備えたことを特徴とする捜索システム。
【請求項１８】
広域に渡る多数の様々な場所にそれぞれ配置され又は存在する各映像取得手段によりそれぞれ取得された各映像及び「前記各映像の位置、又は前記各映像が取得されたときの前記各映像取得手段の位置」に基づいて「人、又はペットなどの動物」を捜索する捜索システムであって、
ネットワークに接続されており、広域に渡る多数の様々な場所にそれぞれ配置され又は存在する各映像取得手段と、
前記各映像取得手段により取得された各映像を、「前記各映像の位置、又は前記各映像が取得されたときの前記各映像取得手段の位置」を特定するための位置特定情報（この「位置特定情報」は、例えば、前記位置の座標データ、前記位置の住所、又は前記位置を含む施設の名称などでもよい。）と対応付けて、出力、送信又は記録する映像位置出力等手段と、
捜索対象を示す捜索対象情報を、入力、受信又は取得する捜索対象情報入力等手段と、
前記捜索対象情報と「前記取得された各映像、又は前記各映像から導き出される情報（この『導き出される情報』は、例えば、文字情報や数字情報などでもよい。）」とに基づいて、前記取得された各映像の中から、「前記捜索対象と関連する１つ又は複数の映像、又はこの映像から導き出された情報」を、抽出又は検索する映像抽出等手段と、
前記抽出等された映像又は情報に基づいて、前記捜索対象に関する情報を、送信又は出力する位置等出力等手段と、
を備えたことを特徴とする捜索システム。
【請求項１９】
広域に渡って多数の様々な場所に存在し且つ移動する各移動体がそれぞれ保有する又は備える各映像取得手段により取得された各映像と前記各移動体の前記各映像取得時における位置座標データとに基づいて、「人やペットなどの動物、又は盗難車などの有体物」を捜索する捜索システムであって、
ネットワークに接続されており、広域に渡って多数の様々な場所に存在し且つ移動する各移動体が保有する又は備える各映像取得手段と、
前記各映像取得手段により取得された各映像を、前記各移動体の前記各映像取得時における位置座標データと関連付けて、出力、送信又は記録する映像位置出力等手段と、
捜索対象を示す捜索対象情報を、入力、受信又は取得する捜索対象情報入力等手段と、
前記入力等された捜索対象情報と「前記取得された各映像、又は前記各映像から導き出される情報」とに基づいて、前記取得された各映像の中から、「前記捜索対象と関連する１つ若しくは複数の映像、又はこの１つ若しくは複数の映像から導き出される情報」を、抽出又は検索する映像抽出等手段と、
「前記抽出等された１つ若しくは複数の映像、又はこの１つ若しくは複数の映像から導き出される情報」に基づいて、「前記捜索対象に関する情報であって、『前記抽出等された映像と関連付けられた位置座標データ又はこの位置座標データに基づいて得られる位置情報』を含む情報」を、出力又は送信する位置出力等手段と、
を備えたことを特徴とする捜索システム。
【請求項２０】
人やペットなどの動物又は盗難車などの有体物を捜索するためのシステムであって、
ネットワークに接続され、複数の場所に存在する又は配置された各映像取得手段と、
前記各映像取得手段により取得された各映像を、前記各映像取得手段の場所又はそれが取得する各映像の場所を特定するための位置特定情報と対応付けて、出力、送信又は記録する映像位置出力等手段と、
捜索対象を示す「画像情報及び文字情報（文字情報は数字情報を含む。以下同じ）」又は文字情報を、入力又は送信する捜索対象情報入力手段と、
「前記各映像取得手段により取得された各映像、又は前記各映像から得られる文字もしくは数字情報」と「前記捜索対象を示す、映像情報及び文字情報、又は文字情報」とに基づいて、前記各映像取得手段により取得された各映像の中から、前記捜索対象に関連する映像又はこの映像から得られる文字情報を、抽出又は検索する抽出等手段と、
前記抽出等された映像又はこの映像から得られる文字情報に基づいて、前記捜索対象に関する情報（前記捜索対象に関連する映像が取得されたときの位置情報を含む）を、出力又は送信する位置出力等手段と、
を備えたことを特徴とする捜索システム。
【請求項２１】
広域に渡る多数の様々な場所にそれぞれ配置され又は存在する各映像取得手段によりそれぞれ取得された各映像及び「前記各映像の位置、又は前記各映像が取得されたときの前記各映像取得手段の位置」に基づいて「人、又はペットなどの動物」を捜索する捜索システムであって、
ネットワークに接続されており、広域に渡る多数の様々な場所にそれぞれ配置され又は存在する各映像取得手段と、
前記各映像取得手段により取得された各映像を、「前記各映像の位置、又は前記各映像が取得されたときの前記各映像取得手段の位置」を特定するための位置特定情報（この「位置特定情報」は、例えば、前記位置の座標データ、前記位置の住所、又は前記位置を含む施設の名称などでもよい。）と対応付けて、出力、送信又は記録する映像位置出力等手段と、
捜索対象を示す捜索対象情報を、入力、受信又は取得する捜索対象情報入力等手段と、
前記捜索対象情報と「前記取得された各映像、又は前記各映像から導き出される情報（この『導き出される情報』は、例えば、文字情報や数字情報などでもよい。）」とに基づいて、前記取得された各映像の中から、「前記捜索対象と関連する１つ又は複数の映像、又はこの映像から導き出された情報」を、抽出又は検索する映像抽出等手段と、
前記抽出等された映像又は情報に基づいて、前記捜索対象に関する情報を、送信又は出力する位置等出力等手段と、
を備えたことを特徴とする捜索システム。
【請求項２２】
広域に渡って多数の様々な場所に存在し且つ移動する各移動体がそれぞれ保有する又は備える各映像取得手段により取得された各映像と前記各移動体の前記各映像取得時における位置座標データとに基づいて、「人やペットなどの動物、又は盗難車などの有体物」を捜索する捜索システムであって、
ネットワークに接続されており、広域に渡って多数の様々な場所に存在し且つ移動する各移動体が保有する又は備える各映像取得手段と、
前記各映像取得手段により取得された各映像を、前記各移動体の前記各映像取得時における位置座標データと関連付けて、出力、送信又は記録する映像位置出力等手段と、
捜索対象を示す捜索対象情報を、入力、受信又は取得する捜索対象情報入力等手段と、
前記入力等された捜索対象情報と「前記取得された各映像、又は前記各映像から導き出される情報」とに基づいて、前記取得された各映像の中から、「前記捜索対象と関連する１つ若しくは複数の映像、又はこの１つ若しくは複数の映像から導き出される情報」を、抽出又は検索する映像抽出等手段と、
「前記抽出等された１つ若しくは複数の映像、又はこの１つ若しくは複数の映像から導き出される情報」に基づいて、「前記捜索対象に関する情報であって、『前記抽出等された映像と関連付けられた位置座標データ又はこの位置座標データに基づいて得られる位置情報』を含む情報」を、出力又は送信する位置出力等手段と、
を備えたことを特徴とする捜索システム。
【請求項２３】
人やペットなどの動物又は盗難車などの有体物を捜索するためのシステムであって、
ネットワークに接続され、複数の場所に存在する又は配置された各映像取得手段と、
前記各映像取得手段により取得された各映像を、前記各映像取得手段の場所又はそれが取得する各映像の場所を特定するための位置特定情報と対応付けて、出力、送信又は記録する映像位置出力等手段と、
捜索対象を示す「画像情報及び文字情報（文字情報は数字情報を含む。以下同じ）」又は文字情報を、入力又は送信する捜索対象情報入力手段と、
「前記各映像取得手段により取得された各映像、又は前記各映像から得られる文字もしくは数字情報」と「前記捜索対象を示す、映像情報及び文字情報、又は文字情報」とに基づいて、前記各映像取得手段により取得された各映像の中から、前記捜索対象に関連する映像又はこの映像から得られる文字情報を、抽出又は検索する抽出等手段と、
前記抽出等された映像又はこの映像から得られる文字情報に基づいて、前記捜索対象に関する情報（前記捜索対象に関連する映像が取得されたときの位置情報を含む）を、出力又は送信する位置出力等手段と、
を備えたことを特徴とする捜索システム。
【請求項２４】
広域に渡る多数の様々な場所にそれぞれ配置され又は存在する各映像取得手段によりそれぞれ取得された各映像及び「前記各映像の位置、又は前記各映像が取得されたときの前記各映像取得手段の位置」に基づいて「人、又はペットなどの動物」を捜索する捜索システムであって、
ネットワークに接続されており、広域に渡る多数の様々な場所にそれぞれ配置され又は存在する各映像取得手段と、
前記各映像取得手段により取得された各映像を、「前記各映像の位置、又は前記各映像が取得されたときの前記各映像取得手段の位置」を特定するための位置特定情報（この「位置特定情報」は、例えば、前記位置の座標データ、前記位置の住所、又は前記位置を含む施設の名称などでもよい。）と対応付けて、出力、送信又は記録する映像位置出力等手段と、
捜索対象を示す捜索対象情報を、入力、受信又は取得する捜索対象情報入力等手段と、
前記捜索対象情報と「前記取得された各映像、又は前記各映像から導き出される情報（この『導き出される情報』は、例えば、文字情報や数字情報などでもよい。）」とに基づいて、前記取得された各映像の中から、「前記捜索対象と関連する１つ又は複数の映像、又はこの映像から導き出された情報」を、抽出又は検索する映像抽出等手段と、
前記抽出等された映像又は情報に基づいて、前記捜索対象に関する情報を、送信又は出力する位置等出力等手段と、
を備えたことを特徴とする捜索システム。